(57)【要約】本発明はセキュリティ機能を形成する方法、及びこれを備えた印刷媒体に関するものであり、何らの変更、特にカード体の表面における機械的変更、を行なうことを不要とすることができるものである。この点で、基体は所定波長の光が照射されることにより出発色から最終色への不可逆的色変化を行う少なくとも一つの切換物質を含み、初期状態の基体は前記波長の制御された光線、特にレーザー光線が照射されることにより、これによって切換物質に生じる色変化により、裸眼で確認できる像が基体内部に生じる。【選択図】図１
2004512202.tif 000002
【特許請求の範囲】
【請求項１】
特に印刷媒体、特にパス及び身分証明書、プラスチック製支払いカード、クレジットカード、メモリーカード等にセキュリティ機能を形成する方法であって、基体（１，１ａ，１ｂ）は、所定波長（λ、λ１、λ２）の光が照射されることにより出発色から最終色へ不可逆的な色変化を行う少なくとも一つの切換物質を含み、
初期状態にある基体に、前記波長（λ、λ１、λ２）の制御された光線、特にレーザー光線が照射されることにより、それにより切換物質に引き起こされる色変化によって、特に裸眼で確認できる像が、基体（１）に生じることを特徴とする方法。
【請求項２】
像が基体（１）の内部に生じることを特徴とする請求項１記載の方法。
【請求項３】
色の変化が不透明から透明への変化であることを特徴とする請求項１又は２記載の方法。
【請求項４】
切換物質が、切換物質の色変化が目視者に基体の対応する色変化として見えるような濃度レベル、特に、初期状態における基体がこれにより不透明になり、最終状態では照射区域においてこれにより透明になるような濃度レベル、で基体に存在することを特徴とする前記請求項の何れかに記載の方法。
【請求項５】
基体がプラスチック材料、特にＡＢＳ、ＰＶＣ、ＰＴＥであることを特徴とする前記請求項の何れかに記載の方法。
【請求項６】
切換物質が、マイクロカプセル又は顆粒（２）又は粉末の形態で基体に分布、特に均一に分布していることを特徴とする前記請求項の何れかに記載の方法。
【請求項７】
切換物質が、基体の内部の、基体の横断面における基体の層内にのみ配置されたことを特徴とする前記請求項の何れかに記載の方法。
【請求項８】
印刷媒体が、単一の基体層（１）を有することを特徴とする前記請求項の何れかに記載の方法。
【請求項９】
印刷媒体が、切換物質を有する単一の基体層（１）を有し、且つ波長（λ、λ１、λ２）の光の照射に反応しない透明材料のカバー層（１′）により少なくとも片側が覆われ、そして特に切換物質が基体（１）の外側のうち一つに配置されていることを特徴とする前記請求項の何れかに記載の方法。
【請求項１０】
印刷媒体が、切換物質を有する単一の基体層（１）を有し、前記基体（１）が、照射側から遠い裏側において不透明カバー層（１″）で覆われていることを特徴とする前記請求項の何れかに記載の方法。
【請求項１１】
印刷媒体が、異なる波長（λ、λ１、λ２）に反応し、且つ、異なる波長（λ、λ１、λ２）の光線が同時に又は連続的に照射されることにより、表面に対する平面視において、多くとも一部重畳した像が二つの基体層（１ａ，１ｂ）における色変化により生じる異なる切換物質を有する、少なくとも二つの相互結合された基体層（１ａ，１ｂ）を有することを特徴とする前記請求項の何れかに記載の方法。
【請求項１２】
基体層（１ａ，１ｂ）の出発色が互いに異なり、最終色は特に同じで、特に透明であることを特徴とする前記請求項の何れかに記載の方法。
【発明の詳細な説明】
【０００１】
Ｉ．　発明の分野
本発明はセキュリティ機能を形成する方法、及びこれを備えた印刷媒体に関する。
【０００２】
ＩＩ．　発明の背景
パス、身分証明書、プラスチック製支払いカード又は支払い用のクレジットカードの偽造防止セキュリティ機能を向上させるために、各種のセキュリティ機能が適当な印刷媒体に形成される。
【０００３】
例えば、一つの可能性としては、中間層が不透明であり特定のデータを印刷するのに用いられる多層部分を設けたプラスチック製支払いカードがあり、その中間層の少なくとも表の印刷側、またほとんどの場合裏側も、透明なカバー層で覆われる。
【０００４】
不透明中間層の上側には、像、記号又は同様の物が印刷され、また上記構成の透明カバー層の領域には、表面三次元構造体が印刷され、その形態は、この構造体を構成する要素による偏向及びレンズの効果により、通常は互いに直角な、二つの異なる方向から目視すると、それぞれその色形態の様々な像と記号が目視できる。
【０００５】
一方では、技術的観点から、そのようなセキュリティ機能は高価な装置を用いるだけで偽造される恐れがあり、他方では、形成された像及び記号のそれぞれの形式に関する限り、また連続番号、製造年月日等の点で、これらは修正できるから、先ず第一に、低度の偽造に対しては比較的に強化された保護が得られる。
【０００６】
しかしながら、このセキュリティ機能の欠点は、カード体の面における構成の少なくとも一部が汚れることにより、劣化することにより、あるいはその他の原因により、不機能状態になることである。
【０００７】
ＩＩＩ． 発明の概要
ａ）技術的目的
よって、この発明の目的は、他のセキュリティ機能、及びこれを形成する方法を提供し、特にカード体の面に修正操作、特に機械的修正操作、を行う必要性を有しないセキュリティ機能を提供することである。
【０００８】
ｂ） 目的の達成
この目的は請求項１の特徴により達成される。有利な実施の形態は従属請求項に示されている。
【０００９】
本件における基本的な考え方は、プラスチックカード体の基体に、又はプラスチック、紙若しくは複合材料から作られ得るカード体の層に、少なくとも一つの物質、すなわち所定波長の光、例えばレーザー光線、が照射されたときに不可逆性の色変化を行う物質を配することである。
【００１０】
かかる切換物質（ｃｈａｎｇｅｏｖｅｒ ｓｕｂｓｔａｎｃｅ）は、マイクロカプセル又は顆粒又は粉末の形態で基体層に均一に分布されて配置され得る。
【００１１】
これにより、切換物質が反応する所定波長のレーザー光線を照射することによって、可視的色変化を目視者のためにカードに生じさせることができる。そしてこの物質が目視者にとっての可視面の下に十分な量で直接配置される限り、目視者には構成色粒子の変化は見ることはできないが、所定波長の光が照射された領域は、目視者にとって基体自体の色効果が変化を受ける。これにより、先にモノクロであった基体の内部に、光を、特に集束光線を照射することにより、又は適当な形のシャッターで光の照射を阻止することにより、異なる色の像を生じさせることができる。
【００１２】
印刷媒体におけるこのような光学効果は、特に理論的には、媒体面に印刷することによっても得られる。しかしながら別の光学効果もある。というのは、より厳密に検討すると、本発明の方法を採用すると、基体の表面ではなくて基体の内部に光学効果が現れるからである。
【００１３】
もし切換物質により基体全体に生じる色の変化が不透明から透明への変化であれば、この光学効果さえも消えるかも知れない。
【００１４】
これにより、先に全体的に着色したカード体は、もし切換物質の分布と密度が十分に高く且つ均質であれば、所定波長で照射されると完全に透明になる。
【００１５】
これにより、目視者は、カード体の内部には光源の前で目視すれば最もよく気づかれる事前配置された像又は可視記号が存在するはずであるという事実に依存して検査を行なうことができる。
【００１６】
この効果にも拘らず、目視者から見ると、この基体の裏側は、好ましくは以前の状態の基体以外の色を有する、不透明な層で覆われ得、これにより照射領域に異なる着色を与えるが、しかしこれはカード体の裏側、従ってその内部でのみ目視可能になる。
【００１７】
同様に、このような基体は、その表側および／または裏側が透明な耐久性のカバー層で覆われるるものとすることができる。
【００１８】
これら全ての特性の利点は、一方では、表面が常に滑らかであり、従って機械的に印刷されたり、その他機械的に影響されず、よって汚損をほとんど不可能とし、また他方では、この方法の採用により、透明又は着色領域を形成すること、従って像と記号を、初期のカードに異なる形と場所で形成することを可能にする。更に、このように形成された像効果、特に透明領域の形における像効果は、所定波長の光を照射することにより後でいつでも改善することもできる。これにより、パスポートは補助的なセキュリティ機能を適正に備えることができ、あるいは補助像等を付加することにより既存のセキュリティ機能を向上させることができる。
【００１９】
他の利点は、印刷媒体が数個の重畳基体層を有し、各基体層には他の波長に反応する他の切換物質が存在することにある。
【００２０】
これにより、異なる波長で同時に、又は所定の両波長を有する時間遅れの光が照射されると、各重畳層に、特に透明領域に、別々の像が形成される。部分的に重畳した透明領域が形成され且つそれら二つの基体の初期の色が異なるとき、特別な像効果が現れる。その理由は、
それらの二つの基体層の重畳領域においてカード体が透明であり、表側及び裏側から見て重畳せず、よって各場合に別の色を呈し、照射領域の大きさに応じ、別の像輪郭をも生じるからである。
【００２１】
同様に、各種波長に反応するより様々な切換物質を同一の基体層に配置することができる。
【００２２】
ｃ）　実施の形態
本発明の実施の形態を添付図面に関して以下に詳述する。図面において、
図１はカード体の部分横断面図であり、
図２は他のカード体の横断面図であり、
図３はより多くの活性層を有するカード体の横断面図である。
【００２３】
像の右側には、図１において、斜視図に見られ及びカードの面１０に関して切替領域５を通る横断面図に見られるように、単一の層を有するカード体が示されている。
【００２４】
カード体は一つの基体層１からなり、これは例えば連続流し込み又はモールド流し込みにより形成することができ、その基体層１には、所定波長λの光が照射されると色の不可逆的変化を生じる切換物質を有するマイクロカプセル又は顆粒２が均一に分布している。
【００２５】
顆粒２は、ここでは、所定波長λの光が照射された切替領域５からの色の変化が目視者により全基体層１の色の変化として、すなわちこの基体層１の表面だけでなくその深い内部からの色の変化として見られる程度の密度分布で配置されている。
【００２６】
これは特に、図１に示すように、色の変化が不透明から透明へと生じる限り、切替領域５は所定波長λの光が照射されると目視者にとって完全に透明になる一方、切替領域の外側の基体層１の領域は顆粒２の初期の色に対応する色に留まることを意味する。
【００２７】
切替領域は、像、記号表示、又は文字／数値コードを有するものとすることができる。
【００２８】
図１の左半分に示されるように、この基体層１の表側３および／または裏側４は、所定波長λの光に反応する物質を含まず、光が完全に透過するものであってもよい透明カバー層１′で覆われ得、よってこれらのカバー層は照射の前にも付与し得る。
【００２９】
これにより、既に作製されたカードは、光、特に切換物質に変化を生じさせる所定波長λのレーザー光線、の照射により後で操作を受けることができる。
【００３０】
図２にはカード体の他の構造が示されている、というのは、切換物質から作られた顆粒２を有してなる基体層１の裏側４に不透明カバー層１″が配置されているからである。このカバー層１″は好ましくは基体層１の初期色と異なる別の色を有する。これにより所定波長λの光が照射された後に、切替領域５に残りの領域に対して別の色が表れ、その結果として目視者には二色の像が現れ、このとき切替領域５の色効果がカード体の内部、より厳密には基体層１とカバー層１″との間の接触面に現れる。
【００３１】
図３には二つの基体層１ａ，１ｂを有するカード体が示され、これらの基体層は異なる切換物質からなる顆粒２ａ，２ｂを有してなり、不可逆的にそれらの色を変化、特に不透明から透明へ変化、させることにより、それぞれ異なる波長λ１、λ２に反応する。
【００３２】
像の右側に示されるように、カード体から作られたこれら二つの層はカバー層が設けられていなくてもよい。
【００３３】
異なる波長λ１、λ２を有するレーザー光線で照射又はそれぞれ刻印（ｉｍｐｒｉｎｔｉｎｇ）すると、切替領域、従って異なる形状の像が、同時におよび／または連続的に生じる。
【００３４】
先ず第１に、図３に見られるように、もしこれらの、層からの切替領域が、一部重畳すれば、これは、もしこれらの領域からの色の変化が常に初期色から透明へと生じるのであれば、目視者に対して派手な効果を持つ、というのは、これら二つの異なる照射領域により全部で三つの像が形成されるからである。
【００３５】
それら二つの切替領域の重畳領域では、カード体は完全に透明であり、よって第１の透明像を呈する。
【００３６】
初期色を有する基体層１ｂが基体層１ａの透明切替領域の下に配置された領域（図３の左側重畳領域）において、目視者はもしカードを上基体層１ａの表側３ａから眺めると基体層１ｂの初期色を有する像を見る。
【００３７】
使用者がカードを他方の基体層１ｂの裏側４ａから逆にすると、第３の像を見ることができる、これは図３の重畳領域の左に見られるように、基体層１ａの初期色を有し、一方、隣接領域は基体層１ｂの初期色を有する。
【００３８】
勿論、この目的は、切換物質を含有する２以上の基体層１ａ，１ｂにより達成し得る。
【００３９】
像の左半分に、裏側４ｂに不透明カバー層１″を追加的に付与する可能性が更に示されている。しかし、上記提示の３色効果は減じられて表側３ａから見られる２色効果になり、重畳領域はこれによりカバー層１”として不透明になる。
【図面の簡単な説明】
【符号の説明】
１　　基体層
１′　不透明カバー層
１”　 透明カバー層
２　　顆粒
３　　表側
４　　裏側
５　　切替領域
λ　　波長
【国際公開パンフレット】
2004512202.tif 000003
2004512202.tif 000004
2004512202.tif 000005
2004512202.tif 000006
2004512202.tif 000007
2004512202.tif 000008
2004512202.tif 000009
2004512202.tif 000010
2004512202.tif 000011
2004512202.tif 000012
2004512202.tif 000013
2004512202.tif 000014
2004512202.tif 000015
2004512202.tif 000016
2004512202.tif 000017
【国際調査報告】
2004512202.tif 000018
2004512202.tif 000019
2004512202.tif 000020
2004512202.tif 000021
2004512202.tif 000022
2004512202.tif 000023
2004512202.tif 000024
2004512202.tif 000025